(57)【特許請求の範囲】
【請求項１】
トランスデューサ（４４）からの音の音圧レベルの消散をもたらす移動端末（６０、９６）であって、
前面（６６、１１０）と、後面と、聴音領域（６４、１０６）と、少なくとも１つの第１のポート（７２、１００）と、少なくとも１つの第２のポート（６８）とを有する前部ハウジング（６３、１０８）と、
前記前部ハウジング（６３、１０８）に取り付けられて、前記トランスデューサ（４４）からの音を受け取る包囲体（９４）を形成する後部ハウジング（９０）と、
前記前部ハウジング（６３、１０８）に取り付けられ、少なくとも１つの第１のポート（７６、１０４）と少なくとも１つの第２のポート（７０）とを有したプレート（６２、７８、１０５、１１２）であって、該プレートの前記少なくとも１つの第１のポート（７６、１０４）が前記前部ハウジング（６３、１０８）の前記少なくとも１つの第１のポート（７２、１００）と軸方向に整列していないプレート（６２、７８、１０５、１１２）と、
前記前部ハウジング（６３、１０８）の前記少なくとも１つの第１のポート（７２、１００）と、前記プレート（６２、７８、１０５、１１２）の前記少なくとも１つの第１のポート（７６、１０４）との間に横方向に延在する少なくとも１つのチャネル（７４、８０、１０２、１１４）と、
前記聴音領域（６４）の中心となる耳密閉領域（５０）であって、前記前部ハウジング（６３、１０８）の前記少なくとも１つの第２のポート（６８）と、前記プレート（６２、７８、１０５、１１２）の前記少なくとも１つの第２のポート（７０）を有する、耳密閉領域（５０）とを有し、
前記前部ハウジング（６３、１０８）の前記少なくとも１つの第２のポート（６８）が前記プレート（６２、７８、１０５、１１２）の前記少なくとも１つの第２のポート（７０）と軸方向に整列している、移動端末（６０、９６）。
【請求項２】
前記プレート（６２、７８、１０５、１１２）が前記前部ハウジング（６３、１０８）の前記後面に取り付けられ、前記プレート（６２、７８、１０５、１１２）を通る前記少なくとも１つの第１のポート（７６、１０４）が前記耳密閉領域（５０）の内側にあり、前記前部ハウジング（６３、１０８）の前記少なくとも１つの第１のポート（７２、１００）が前記耳密閉領域（５０）の外側にある、請求項１に記載の移動端末（６０、９６）。
【請求項３】
前記プレート（６２、７８、１０５、１１２）が前記前部ハウジング（６３、１０８）の前記前面（６６、１１０）に取り付けられ、前記前部ハウジング（６３、１０８）を通る前記少なくとも１つの第１のポート（７２、１００）が前記耳密閉領域（５０）の内側にあり、前記プレート（６２、７８、１０５、１１２）を通る前記少なくとも１つの第１のポート（７６、１０４）が前記耳密閉領域（５０）の外側にある、請求項１に記載の移動端末（６０、９６）。
【請求項４】
前記少なくとも１つのチャネル（７４、８０、１０２、１１４）が、前記前部ハウジング（６３、１０８）、前記プレート（６２、７８、１０５、１１２）、及びその組合せから選択されるグループ内の凹部を含む、請求項１に記載の移動端末（６０、９６）。
【請求項５】
トランスデューサ（４４）からの音の音圧レベルの消散をもたらす移動端末（６０、９６）であって、
前面（６６、１１０）、聴音領域（６４、１０６）、及び中央耳密閉領域（５０）を有し、前記耳密閉領域（５０）内で前記前部ハウジング（６３、１０８）を通る少なくとも１つの第１のポート（６８）及び少なくとも１つの第２のポート（７２、１００）を有する前部ハウジング（６３、１０８）と、
前記前部ハウジング（６３、１０８）に取り付けられて、前記トランスデューサ（４４）からの音を受け取る包囲体（９４）を形成する後部ハウジング（９０）と、
前記前面（６６、１１０）に取り付けられ、前記聴音領域（６４）を覆い、それぞれ前記少なくとも１つの第１のポート（６８）と同軸であり前記耳密閉領域（５０）内にある少なくとも１つの中心ポート（７０）、及び前記中心ポートから遠位かつ前記耳密閉領域（５０）の外側にある少なくとも１つの遠位ポート（７６、１０４）を有するプレート（６２、７８、１０５、１１２）と、
前記少なくとも１つの第２のポート（７２、１００）から前記プレートの前記少なくとも１つの遠位ポート（７６、１０４）へ延在する、前記プレート（６２、７８、１０５、１１２）と前記前部ハウジング（６３、１０８）の間の少なくとも１つのチャネル（７４、８０、１０２、１１４）とを備える、移動端末（６０、９６）。
【請求項６】
前記少なくとも１つのチャネル（７４、８０、１０２、１１４）が、前記前部ハウジング（６３、１０８）、前記プレート（６２、７８、１０５、１１２）、及びその組合せから選択されるグループ内の凹部を含む、請求項５に記載の移動端末（６０、９６）。
【請求項７】
トランスデューサ（４４）からの音の音圧レベルの消散をもたらす移動端末（６０、９６）であって、
聴音領域（６４、１０６）、前記聴音領域（６４、１０６）内の耳密閉領域（５０）、前面（６６、１１０）、及び後面を有する前部ハウジング（６３、１０８）と、
前記前部ハウジング（６３、１０８）に取り付けられて、前記トランスデューサ（４４）からの音を受け取る包囲体（９４）を形成する後部ハウジング（９０）と、
音を前記耳密閉領域（５０）に伝送する第１の手段と、
前記耳密閉領域（５０）内からの音を前記耳密閉領域（５０）の外側の前記聴音領域（６４）に伝送する第２の手段とを有し、
前記第１の手段が、前記前部ハウジング（６３、１０８）の少なくとも１つの第１のポート（６８）と、前記前部ハウジング（６３、１０８）取り付けられたプレート（６２、７８、１０５、１１２）とを有し、
前記プレート（６２、７８、１０５、１１２）が、前記前部ハウジング（６３、１０８）の前記少なくとも１つの第１のポート（６８）と同軸である少なくとも１つの第１のポート（７０）を有し、
前記第２の手段が、前記前部ハウジング（６３、１０８）の少なくとも１つの第２のポート（７２、１００）と、前記前部ハウジング（６３、１０８）の前記少なくとも１つの第２のポート（７２、１００）と同軸ではない、前記プレート（６２、７８、１０５、１１２）の前記少なくとも１つの第２のポート（７６、１０４）と、前記前部ハウジング（６３、１０８）の前記少なくとも１つの第２のポート（７２、１００）と前記プレートの前記少なくとも１つの第２のポート（７６、１０４）との間に横方向に延在する少なくとも１つのチャネル（７４、８０、１０２、１１４）とを有した、移動端末（６０、９６）。
【請求項８】
前記プレート（６２、７８、１０５、１１２）が前記前部ハウジング（６３、１０８）の前記後面に取り付けられ、前記プレート（６２、７８、１０５、１１２）を通る前記少なくとも１つの第２のポート（７６、１０４）が前記耳密閉領域（５０）の内側にあり、前記前部ハウジング（６３、１０８）の前記少なくとも１つの第２のポート（７２、１００）が前記耳密閉領域（５０）の外側にある、請求項７に記載の移動端末（６０、９６）。
【請求項９】
前記プレート（６２、７８、１０５、１１２）が前記前部ハウジング（６３、１０８）の前記前面（６６、１１０）に取り付けられ、前記前部ハウジング（６３、１０８）を通る前記少なくとも１つの第２のポート（７２、１００）が前記耳密閉領域（５０）の内側にあり、前記プレート（６２、７８、１０５、１１２）を通る前記少なくとも１つの第２のポート（７６、１０４）が前記耳密閉領域（５０）の外側にある、請求項７に記載の移動端末（６０、９６）。
【発明の詳細な説明】
【技術分野】
【０００１】
本発明は、無線端末の分野に関し、より詳細には、そのような装置によってもたらされる音圧レベルの消散に関する。
【背景技術】
【０００２】
セルラー電話及び他の同様の製品は、ユーザが聞く音声の生成に２つの装置を使用することが多い。トランスデューサは受信機として働くものであり、簡単に言えば受信機又はスピーカである。ブザーなど個別のユニットは、ユーザに「警報信号」を提供する機能を果たす。警報信号には、コールが受信された場合の呼出音、バッテリ電力の低下などを知らせるシステム信号、及び電子ゲームの音色など他の音が含まれる。こうした警報音は、一般に、騒音環境でも聞こえるように十分な音量でなければならない。場合によっては、ブザーは代わりに第２のスピーカでもよい。この構成で同様の機能が提供される。通常、１つのスピーカは電話コールにおいてユーザに聞こえる音を提供する働きをし、もう１つのスピーカは警報機能用の音を提供する。
【０００３】
多音呼出音の導入で、警報を単に鳴る音又はブザー音ではなく歌また歌の一部にすることができるようになり、ブザーは必要とされる音色品質を生成することができないためにあまり望ましくないものになっている。多音用スピーカ機能及び警報機能は、標準の受信機機能で可能な音圧よりも高い音圧を必要とする。したがって、スピーカはこの応用に好ましい。しかし一般に、警報機能に音声を提供するスピーカを使用すると、必要とされる音圧レベル（ＳＰＬ）限度を超えることになる。ＯＳＨＡ（Ｏｃｃｕｐａｔｉｏｎａｌ  Ｓａｆｅｔｙ  ＆  Ｈｅａｌｔｈ  Ａｄｍｉｎｉｓｔｒａｔｉｏｎ）、ＴＩＡ（Ｔｅｌｅｃｏｍｍｕｎｉｃａｔｉοｎｓ  Ｉｎｄｕｓｔｒｙ  Ａｓｓｏｃｉａｔｉｏｎ）、ＣＴＩＡ（Ｃｅｌｌｕｌａｒ  Ｔｅｌｅｃｏｍｍｕｎｉｃａｔｉｏｎｓ  ａｎｄ  Ｉｎｔｅｒｎｅｔ  Ａｓｓｏｃｉａｔｉｏｎ）基準を含む多くの基準で、安全限度が指定されており、現在は通常の使用での聴力損失を防ぐために１１５〜１２０ｄＢＳＰＬに指定されている。この限度は、通常は約１３５〜１４０ｄＢＳＰＬである大抵の警報機能に必要とされるレベルよりも低い。
【０００４】
こうした問題を解決する試みには、（１）警報音に個別のスピーカを使用すること、（２）多様な緩和技法を用いて警報及び受信機機能を実行する単一のスピーカを使用することが含まれる。警報音に個別のスピーカを使用する場合、個別のスピーカからの音が電話機の側部又は後部の外に向けられることが多い。これによって、比較的高い音圧レベル音が通常の受信機の位置から放出可能になることが妨げられる。さらに、第２のスピーカを使用すると、ユニットのコストが上がりサイズが大きくなる恐れがある。
【０００５】
単一のスピーカを使用して警報及び受信機機能を実行する場合の一手法は、音の大部分を電話機の側部及び後部から外にポート（ｐｏｒｔ）して、受信モードのＳＰＬを１１５〜１２０ｄＢＳＰＬに制限することである。しかしこれは、会話全てが同様に側部、後部、又はその両方から外にポートされるために、プライバシの損失につながる。機械的スイッチ又は機械的スイッチを作動させる近接スイッチなど追加の設計機能を加えて、側部ポート又は後部ポートを閉鎖することができる。これによってプライバシの損失を制限することができるが、一般に、このためにコストが上がり複雑性が増すことになり、結果的には、警報信号が生成されても側部ポート又は後部ポートが閉鎖されているため、ＳＰＬレベルが受信機の１１５〜１２０ｄＢＳＰＬ要件を越えることがある。電話機が人によってポケット又は他の筐体内に入れて運ばれるような時、近接スイッチも幾分信頼できないこともあり、又は警報信号音量の望ましくない低減を招くこともある。
【０００６】
他の意見には、警報音を設定時間にわたって比較的低レベルから高レベルに上げるようにして、ユーザが、高レベル音が生成される前に、手で電話機を耳から遠ざけることができるようにするソフトウェアの解決法が含まれる。しかし、警報音が鳴っているときに、個人が不注意に受信機を自分の耳に持っていく可能性が依然として存在する。
国際公開第ＷＯ００／２１３３０号には、ハウジング内に受信機トランスデューサを有する電気音響通信ユニットが記載されている。この通信ユニットはトランスデューサのダイアフラムの前面と後面の両方から、ユニットのユーザの耳との係合面の内側の領域、またこの係合面の外側領域への音響結合を有する。この４つの音響結合は、発生器としてトランスデューサとの音響バランス・ブリッジの４つのブランチを構成する。
英国特許第ＧＢ−Ａ−２３１０５５９号には、拡声器支持部材によって画定された音響路によってハウジング内のオフセット開口に結合されたハウジング内に取り付けられた拡声器が記載されている。こうした構成により、拡声器の前の保護グリルが不要になり、製造の複雑性及びコストが低減される。
【発明の開示】
【発明が解決しようとする課題】
【０００７】
本発明は、セルラー電話など移動端末のユーザが耳を移動端末に密閉させて聞く場合に、ユーザに聞こえる音圧レベル（ＳＰＬ）を低減する装置及び方法を提供する。さらに、ユーザの耳が端末に密閉されていない場合は適切なＳＰＬが提供され、警報信号などの音についての過剰なＳＰＬが低減又は防止される。本発明は、端末の内部にあるトランスデューサからの音の音圧レベルの消散をもたらす、たとえばセルラー電話など移動端末を対象とする。本発明による方法は、同様の音圧レベルの消散をもたらす。
【課題を解決するための手段】
【０００８】
本発明の一実施例は、前面及び後面を有する前部ハウジングを備える。前部ハウジングは、聴音領域及び聴音領域を通る少なくとも１つの第１のポートを有する。後部ハウジングは、前部ハウジングに取り付けられて、その中にトランスデューサが配置される包囲体を形成する。プレートは、前面又は後面に取り付けられ、前部ハウジングの聴音領域を通る第１のポートと位置合わせされていない少なくとも１つの第１のポートを有する。少なくとも１つのチャネルは、前部ハウジングを通る第１のポートとプレートを通る第１のポートの間に概ね横方向に延在する。
【０００９】
他の実施例では、上記で論じたポートに加えて、１つのポートが聴音領域の耳密閉領域内にあり、前部ハウジングを通り、プレートを通るポートは前部ハウジングを通るポートと同軸である。さらに、プレートをハウジングの後面に取り付けて、プレートを通る第１のポートが耳密閉領域内にあり、ハウジングを通る第１のポートが耳密閉領域外にあるようにすることができる。或いは、プレートをハウジングの前面に取り付けて、プレートを通る第１のポートが耳密閉領域外にあり、ハウジングを通る第１のポートが耳密閉領域内にあるようにしてもよい。チャネルは、前部ハウジングとプレートなどの対を成す部分内の凹領域から、又はダクトによって形成されてよい。
【００１０】
一実施例では、包囲体は前部以外の側面が全て密閉されており、他の実施例ではトランスデューサが１つだけ使用される。
【００１１】
他の実施例では、ベゼルが上記のプレートと同様に使用され、ハウジングの前面に取り付けられる。
【００１２】
幾つかの実施例では、移動端末は、聴音領域、聴音領域内の耳密閉領域、前面及び後面、並びに前部ハウジングに取り付けられてその中にトランスデューサが配置される包囲体を形成する後部ハウジングを備える。第１の手段は、音を耳密閉領域に伝送するために設けられ、第２の手段は音を耳密閉領域内から耳密閉領域の外部の聴音領域に伝送するために設けられる。第１の手段は、前部ハウジングを通る少なくとも１つの第１のポート、及び前面又は後面に取り付けられ、前部ハウジングを通る少なくとも１つの第１のポートと概ね同軸であり、プレートを通る少なくとも１つの第１のポートを有するプレートを備えることができる。第２の手段は、前部ハウジングを通る少なくとも１つの第２のポート、及び前部ハウジングを通る少なくとも１つの第１のポートと同軸ではないがプレートを通る少なくとも１つの第２のポート、並びに前部ハウジングを通る少なくとも１つのポートとプレートを通る少なくとも１つのポートの軸から概ね垂直にかつその間に横方向に延在する少なくとも１つのチャネルを備えることができる。プレートを、前部ハウジングの後部に取り付けることができる。その場合、プレートを通る第２のポートは耳密閉領域内にあり、前部ハウジングを通る第２のポートは耳密閉領域外にある。或いは、プレートを前部ハウジングの前面に取り付けることができ、その場合、前部ハウジングを通る第２のポートは耳密閉領域内にあり、プレートを通る第２のポートは耳密閉領域外にある。
【００１３】
音圧の消散をもたらす方法は、音を移動端末の包囲体の内部及び耳密閉領域内から耳密閉領域外の前部ハウジングの聴音領域にチャネルを通して伝送する工程を含む。
【００１４】
この方法はさらに、音を包囲体内及び耳密閉領域内のポートを通してチャネルの一端に伝送し、音をチャネルの他方の端部からポート開口部を通して聴音領域に、かつ耳密閉領域外に伝送する工程を含む。
【００１５】
前面及び後面を有し、聴音領域及び聴音領域を通る少なくとも１つの第１のポートを有する前部ハウジングを提供する工程と、前部ハウジングに取り付けられてその中にトランスデューサが配置される包囲体を形成する後部ハウジングを提供する工程と、前面又は後面に取り付けられ、前部ハウジングの聴音領域を通る少なくとも１つの第１のポートと軸方向に整列せず、プレートを通る少なくとも１つの第１のポートを有するプレートを提供する工程と、前部ハウジングを通る少なくとも１つの第１のポートとプレートを通る少なくとも１つの第１のポートの軸から概ね垂直にかつその間に横方向に延在する少なくとも１つのチャネルを提供する工程とを含む他の方法を提供する。
【００１６】
本発明の特徴及び利点は、添付の図で示した、本発明の幾つかの実施例の以下の詳細な説明に照らしてみるとより明らかになるであろう。理解されるように、本発明は、全て本発明の範囲から逸脱することなく、様々な点で変更が可能である。したがって、図面及び説明は全く例示であって限定するものではないとみなされるものとする。
【実施例】
【００１７】
本明細書で使用する用語「移動端末」には、多線表示装置を備えた又は備えていないセルラー無線電話機、セルラー無線電話機にデータ処理、ファクシミリ、及びデータ通信能力を組み合わせることができるパーソナル・コミュニケーション・システム（ＰＣＳ）端末、無線電話機、ページャ、インターネット／イントラネット・アクセスを含むことができるＰＤＡ、Ｗｅｂブラウザ、オーガナイザ、カレンダ、及び／又はグローバル・ポジショニング・システム（ＧＰＳ）受信機、並びに従来のラップトップ及び／又はパームトップ受信機、或いは無線電話送受信機を含む他の器具が含まれる。幾つかの用語も本明細書で単に便宜上使用されるが、本発明を限定するものであると考えられるべきではない。たとえば、用語「前部」、「後部」、「頂部」、「底部」、「側部」、「上方」、及び「下方」は、単に図で示した構成を表すものである。構成要素はどの方向に向けられてもよく、したがって用語は、別に指定されない場合は、多様な方向を含んでいることを理解されたい。本明細書で用語「電話」が使用される場合、それは任意の移動端末を指しており、電話という名称も便宜上のことであることも理解されたい。さらに用語「穴」及び「ポート」は交換可能に使用される。
【００１８】
次に図面を参照する。図面では、同様の参照番号は幾つかの図にわたって対応する又は同様の要素を示す。図１は、従来のセルラー電話３０を示す。電話３０は、前部ハウジング３２、前面３４、キー・パッド３６、ベゼル３８、及びベゼル３８を受ける凹部領域を備えており、凹部領域は、聴音領域４０、表示装置４２、トランスデューサ又はスピーカ４４を備える。５つの穴４６は、前面３４及び前部ハウジング３２の聴音領域４０内に示されている。音は前部ハウジング内の穴を通り、次いでベゼル内の対応した穴を通ってユーザの耳に届く。このシステムは、所望の音色品質及び周波数範囲を生成するように設計されている。図１の電話では、５つの穴４６はベゼル３８内の５つの穴４８と概ね同軸方向に対応し、トランスデューサ４４から穴４６、４８を通る音の直接ポーティングをもたらす。追加の聴音領域４０を通る対応するポート５２、５４、前部ハウジング３２の側部を通る側部ポート５６、及び後部ハウジング（図示せず）を通る後部ポートも設けることができる。しかし、側部及び後部ポートは、プライバシを低減する傾向があり、対応する穴５２、５４を通した直接ポーティングにより、穴が耳に非常に近接し、又は耳の密閉領域内にある場合に、過剰に高いＳＰＬがユーザの耳に届く恐れがある。幾つかの従来の電話は、図１で示していないが、追加のトランスデューサ又はブザーも備える。後部ハウジング及びマイクロホンも図１及び図２から省略されているが、マイクロホン用の開口部５８が示されている。
【００１９】
聴音領域４０の中心部分及びベゼル３８の類似部分は、人の耳をベゼル３８に対して密閉することができる密閉領域５０を画定する。ユーザの耳が電話３０に対して密閉された場合、耳は音響回路の一部になる。耳密閉領域５０の径は、通常約２５ｍｍであり、ユーザが自分の耳の開口部を聴音領域に対して「密閉」することができる。
【００２０】
電話６０、又はより広範には本発明の一実施例である図２の移動端末では、ベゼル６２と、前部ハウジング６３、したがって前面６６の聴音領域６４は、図１の電話３０の部分３２、３８、４０、３４とは異なる。スピーカ４４からの音の少量だけが、聴音領域６４を通る穴６８及びベゼル６２を通る対応する穴７０を通って耳を密閉することができる５０に直接ポートされる。残りの音は、聴音領域６４内の穴７２を通って前部ハウジング６３のフリンジにポートされる。聴音領域６４はベゼル６２内に直接対応する穴を有していないが、代わりにベゼル６２と聴音領域６４の間にある各チャネル７４に連結されている。チャネル７４に連結されるポート７２は、耳密閉領域５０内に示してあるが、耳密閉領域５０の外部に配置されてもよい。各チャネル７４はベゼル６２のコーナにある穴７６に連結される。
【００２１】
穴７６の正確な位置付けよりも重要なことは、こうした穴がユーザの耳の密閉領域５０の外部にあることである。この密閉された状態でＳＰＬが測定され、１１５〜１２０ｄＢＳＰＬを超えてはならない。耳が密閉されなくなると、対応する穴７０、７２を通る直接ポーティングによってもたらされた音響回路は崩壊し、チャネル７４を介した漏れ通路によりＳＰＬレベルが迅速に低下し、安全性に関する危険性が最小限になる。したがって、音を密閉された耳領域５０の外部の領域にポーティングすることによって、ＳＰＬ限度を超える危険性が低減されるが、音に対するＳＰＬレベル全体は高くすることができる。こうしたより高いレベルは、開口部７０、７６を全て使用して達成され、警報信号などの音を含むことができる。
【００２２】
本明細書で論じる実施例では、音は電話の側部又は後部とは対照的に前部にポートされる。ポートされるチャネルは密閉された耳領域の外側に向けられる。音を前部だけにポートすることには幾つかの利益がある。音を前部にポーティングすることによって、会話全てがユーザに向けて出されるようになる。受信機の音量レベルを適切に設定することによって、会話に必要とされる音量レベルだけが使用され、音が全てユーザに向けて出される。音を前部だけに向けることによって、ユーザのプライバシが向上する。さらに、ユーザの大部分は耳を密閉せず、又は大抵、音を最適に伝送するために電話を自分の耳から離して保持するため、こうした追加のポート開口部はより高い有用なＳＰＬレベルをもたらし、又はユーザに聞こえる音の周波数の同調効果を高めることになる。しかし、前部へのポーティングについて論じ図で示したが、さらに後部及び側部へのポーティングを提供することもでき、それも本発明の範囲内である。
【００２３】
図３及び図４は、それぞれベゼル６２を取り除いた前部ハウジング６３、及びベゼル６２の前部を示す。すでに説明したように、聴音領域６４を通るポート７２はチャネル７４に連結され、チャネル７４は音を耳密閉領域５０の外部にあるベゼル・ポート７６に向ける。ベゼル６２の後部は、前面の凹部領域６４内の凹部によって作成されたチャネル７４を有し、平坦である。ベゼルの後部を示す図５に示した代替実施例では、ベゼル７８は、図３のチャネル７４まで対応するチャネル８０を含むことができ、又は前部ハウジング６３の聴音領域６４は平坦でもよい。
【００２４】
図６及び図７は、それぞれ図２〜図５の実施例を示す斜視図及び後面図である。図６は、この実施例に側部又は頂部ポートが存在しないことを示しているが、代替実施例には存在してもよく、図７は、後部ハウジング９０内にポートが存在しないことを示しているが、側部又は後部ポートを設けることができる。図２〜図５の実施例の断面図を図８に示す。前部ハウジング６３及び後部ハウジング９０は音響空洞包囲体９４を形成する。用語「前部ハウジング」及び「後部ハウジング」は、完全なハウジング及び包囲体を形成するために必要とされる要素を指す。理解されるように、音響空洞部は、たとえば前部ハウジング、後部ハウジング又はその両方と一体化され、或いはそれに取り付けられた側壁を有する様々な構成要素によって包囲されうる。後部ハウジング９０は、移動端末の後部でもよく、又は移動端末内の仕切りでもよい。後部ハウジング９０が仕切りの場合、音は隣接する音響空洞部にポートされ、そこから移動端末の後部、側部、又はその両方にポートされうる。チャネル７４は、前部ハウジング６３内のポート７２とベゼル６２内のポート７６の間の聴音領域に対して概ね横方向に延在し、ポート７２、７６の軸に対して概ね垂直である。
【００２５】
チャネル７４（図２、図３、及び図８）、８０（図５）、１０２（図９）、１１２（図１１）はベゼルに形成されているとして示されているが、本発明によるチャネルを作成する他の手段も使用可能である。ベゼルの使用は必ずしも必要ではない。用語「プレート」は本明細書では、ベゼルと交換可能に使用され、チャネルを形成するために使用することができる任意の概ね平らな部材を指す。たとえば、凹部領域を有し前部ハウジング内にある個別のプレート又は他の部片はチャネルを形成することができる。或いは、平坦な内部プレート又は他の部片に対向する前部ハウジング内の凹部領域はチャネルを形成することができる。チャネルはどの断面形状でもよい。
【００２６】
図９〜図１１で代替実施例を示す。図９及び図１０では、８つのポート１００が中央ポート６８の周囲に向けられており、それぞれベゼル１０５のポート１０４に向けて外側に延びるチャネル１０２を有する。チャネル１０２は、前部ハウジング１０８の前面１１０の凹部領域１０６内に示されている。図５と同様の代替実施例として、図１１のベゼル１１２の後面図は、ベゼル１１２が、図９のチャネル１０２まで対応するチャネル１１４を含むことができ、又は前部ハウジング１０８の聴音領域１０６は平坦でもよいことを示す。
【００２７】
音響技術の当業者にはすぐに理解されるように、本発明は、他の環境では他の適用例を有する。また当業者の一部に理解されるように、本明細書に論じ、図に示したポーティング形状は、適切なＳＰＬ又は音調品質を生成するために必ずしも最も効果的であり又は望ましいわけではない。実際、多くの実施例及び実装例が可能である。たとえば、本発明の範囲から逸脱することなく、ポート及びチャネルの形状、サイズ、及び構成を論じたものから変更することができる。特許請求の範囲は、本発明の範囲を記載した特定の実施例に決して限定するものではない。
【図面の簡単な説明】
【００２８】
【図１】従来技術のセルラー電話を示す部分分解図である。
【図２】本発明によるセルラー電話の一実施例を示す部分分解図である。
【図３】図２のセルラー電話を示す一部切除正面図である。
【図４】図３のセルラー電話に加えるべきベゼルの一実施例を示す正面図である。
【図５】やはり図３のセルラー電話に加えるべきベゼルの追加の一実施例を示す後面図である。
【図６】図２のセルラー電話を示す斜視図である。
【図７】図６のセルラー電話を示す後面図である。
【図８】図６のセルラー電話を示す断面図である。
【図９】本発明によるセルラー電話の他の実施例を示す一部切除正面図である。
【図１０】図９のセルラー電話に加えるべきベゼルの一実施例を示す正面図である。
【図１１】やはり図９のセルラー電話に加えるべきベゼルの追加の一実施例を示す後面図である。
【図１】
0004664682.tif 000002
【図２】
0004664682.tif 000003
【図３】
0004664682.tif 000004
【図４】
0004664682.tif 000005
【図５】
0004664682.tif 000006
【図６】
0004664682.tif 000007
【図７】
0004664682.tif 000008
【図８】
0004664682.tif 000009
【図９】
0004664682.tif 000010
【図１０】
0004664682.tif 000011
【図１１】
0004664682.tif 000012